(57)【要約】【課題】  コンクリート破砕機の磁石下方の視認性を向上させること。【解決手段】  上顎３を開閉駆動させる油圧シリンダ４の外側を常時覆う位置で、上顎３の開閉動作に伴って揺動する保護カバー５に、磁力によって鉄筋屑Ｒを吸着可能な磁石６を設けた。これにより、鉄筋屑Ｒを吸着する状態で、磁石６が上顎３の後端部よりも後方に位置するから、コンクリート破砕機１を地面に近付けても、磁石６の下方が死角にならない。また、上顎３の開閉動作に伴って保護カバー５が揺動しても、リンク７によって下顎２に対する保護カバー５の向きを維持してあるから、上顎の開閉動作によって磁石の向きが殆ど変化しない。これにより、上顎３の開閉状態に関係なく、鉄筋屑Ｒの吸着を行なえる。【選択図】  図１
2005042404.tif 000002
【特許請求の範囲】
【請求項１】
作業機のアームの先端に下顎を起伏自在に装着すると共に前記下顎に上顎を開閉可能に装着し、前記下顎及び前記上顎間に設けた油圧シリンダのピストンロッドの進退駆動により前記下顎に対して前記上顎を開閉駆動させてコンクリート塊を破砕するコンクリート破砕機において、前記下顎にリンクを介して連結し、かつ、前記上顎に前端部をピン結合して、前記油圧シリンダのピストンロッドの外側を常時覆う位置で、前記上顎の開閉動作に伴って揺動する保護カバーと、前記保護カバーに取付けられ、磁力によって鉄筋屑を吸着可能な磁石とを有するコンクリート破砕機。
【発明の詳細な説明】
【技術分野】
【０００１】
本発明は、コンクリート建造物の解体時などに使用するコンクリート破砕機に関するものである。
【背景技術】
【０００２】
コンクリート破砕機２１は、図５及び図６の如く、作業機３１のアーム３２の先端に下顎２２を起伏自在に装着すると共に下顎２２に上顎２３を開閉可能に装着し、下顎２２及び上顎２３間に設けた油圧シリンダ２４によって上顎２３を下顎２２に対して開閉駆動させてコンクリート塊Ｃを破砕するものである。特に、鉄筋コンクリート塊を破砕する際に使用するコンクリート破砕機２１としては、下顎２２及び上顎２３でコンクリート塊Ｃを噛み砕くと共に下顎２２及び上顎２３に設けたカッター２５，２５で鉄筋を切断し、地面に落下した鉄筋屑Ｒを下顎２２の底面に設けた磁石２６で吸着回収するものがある（例えば特許文献１参照）。
【０００３】
【特許文献１】特許第２５６３８５０号公報
【発明の開示】
【発明が解決しようとする課題】
【０００４】
従来のコンクリート破砕機２１は、磁石２６を設置スペース上の都合で下顎２２の底面基端側に設けてある。鉄筋屑Ｒを吸着する状態、即ち下顎２２の先端を作業機３１側へ向けた状態で、磁石２６を地面に近付けると、作業機３１の操縦席３３から見て磁石２６の下方が下顎２２の先端部で遮られて死角になる。このため、操縦者が磁石２６で鉄筋屑Ｒを吸着する瞬間を目視できず、鉄筋屑Ｒの吸着漏れが多かった。
【０００５】
本発明はかかる課題に鑑み創案するに至ったものであって、その目的は、磁石下方の視認性を向上させたコンクリート破砕機を提供することにある。
【課題を解決するための手段】
【０００６】
本発明に係るコンクリート破砕機は、作業機の揺動アームの先端に下顎を起伏自在に装着すると共に前記下顎に上顎を開閉可能に装着し、前記下顎及び前記上顎間に設けた油圧シリンダのピストンロッドの進退駆動により前記下顎に対して前記上顎を開閉駆動させてコンクリート塊を破砕するコンクリート破砕機において、前記下顎にリンクを介して片端部を連結し、かつ、前記上顎に他端部をピン結合して、前記油圧シリンダのピストンロッドの外側を常時覆う位置で、前記上顎の開閉動作に伴って揺動する保護カバーと、前記保護カバーに取付けられ、磁力によって鉄筋屑を吸着可能な磁石とを有するものである。
【０００７】
本発明の上記構成によれば、鉄筋屑を吸着する状態、即ち下顎の先端を作業機とは反対側へ向けて磁石を下方へ向けた状態で、磁石が上顎の基端部よりも作業機側に位置する。この状態で磁石を地面に近付けると、作業機の操縦席から見て磁石の下方が死角にならない。また、上顎の開閉動作に伴って保護カバーが揺動しても、リンクによって下顎に対する保護カバーの向きが殆ど変化しない。これにより、上顎の開閉動作によって下顎に対する磁石の向きが殆ど変化しないから、上顎の開閉状態に関係なく、鉄筋屑の吸着を行なえる。
【発明の効果】
【０００８】
本発明は前述の如く、鉄筋屑を吸着する状態で、磁石が上顎の後端部よりも作業機側に位置するから、作業機の操縦席から見て磁石の下方が死角にならない。これにより、作業機の操縦席から鉄筋屑の吸着の瞬間を目視できるから、鉄筋屑の吸着漏れを抑制できる。
【０００９】
また、上顎の開閉動作に伴って保護カバーが揺動しても、保護カバーの下顎に対する向きをリンクによってほぼ一定の方向に維持してあるから、上顎の開閉動作によって磁石の下顎に対する向きが変化しない。したがって、上顎の開閉状態に関係なく、鉄筋屑の吸着を行なうことができる。
【発明を実施するための最良の形態】
【００１０】
以下、図面を参照しつつ本発明のコンクリート破砕機について説明する。
【００１１】
図１は本発明のコンクリート破砕機１を例示する側面図で、図２はコンクリート破砕機の分解斜視図である。このコンクリート破砕機１は、図１の如く、作業機３１（図５参照）のアーム３２の先端に下顎２を起伏自在に装着すると共に下顎２に上顎３を開閉可能に装着し、下顎２及び上顎３間に設けた油圧シリンダ４によって上顎３を下顎２に対して開閉駆動させてコンクリート塊Ｃを破砕するものであって、上顎３の開閉動作に伴って揺動する保護カバー５を設け、この保護カバー５に磁石６を取付けてある。
【００１２】
下顎２は、図２の如く、一対の側板２ａ，２ａの相互間に破砕下板２ｂ、外板２ｃ及び補強板２ｄ，２ｄを設けた鋼鉄製の部材で、側板２ａ，２ａを作業機３１（図５参照）のアーム３２の先端部にピン結合して、アーム３２に設けた油圧シリンダ３２ａの進退動により起伏自在になっている。破砕下板２ｂの上面には、コンクリート塊Ｃを破砕するための複数の下刃２ｅ，２ｅ，…を間隔をもって突設してある。一対の側板２ａ，２ａの先端部内面には、鉄筋切断用の刃２ｆをネジとナットで固定してある。
【００１３】
上顎３は、後端部を下顎２の側板２ａ，２ａ相互間にピン結合すると共に、上面中間部に油圧シリンダ４のピストンロッド４ａ及び保護カバー５の前端部をピン結合してある。下顎２の破砕下板２ｂと対向する上顎３の下面には、コンクリート塊Ｃを破砕するための複数の上刃３ａ，３ａを突設してある。
【００１４】
油圧シリンダ４は、後端部を下顎２の後端側にピン結合すると共に、ピストンロッド４ａの先端を上顎３にピン結合して、ピストンロッド４ａの進退駆動で下顎２に対して上顎３を開閉駆動させるようになっている。
【００１５】
保護カバー５は、中間部をリンク７を介して下顎２の側板２ａ，２ａに連結し、かつ、前端部を上顎３にピン結合した断面コ字状の部材で、上顎３の開閉動作に伴って平行移動し、油圧シリンダ４のピストンロッド４ａの外側を常時覆って保護するものである。リンク７は、下顎２との連結箇所を、下顎２及び上顎３の連結箇所から保護カバー５の上顎３及びリンク７との連結箇所相互の間隔を隔てた箇所とし、上顎３の下顎２及び保護カバー５との連結箇所相互の間隔とほぼ同長に形成してある。これにより下顎２及び上顎３の連結箇所と、上顎３及び保護カバー５の連結箇所と、保護カバー５及びリンク７の連結箇所と、リンク７及び下顎２の連結箇所とが、コンクリート破砕機１の側方から見て平行四辺形の頂点の位置に配設され、上顎３の開閉動作に伴って保護カバー５が平行移動する（図３及び図４参照）。なお、リンク７は、上顎３の開閉動作によって下顎２に対する保護カバー５の向きが微小変化する程度に構成しても構わない。
【００１６】
磁石６は、例えば電磁石をケーシングに収納したものであって、保護カバー５の表面に取付けて、下顎２及び上顎３でコンクリート塊Ｃを破砕して地面に落下した鉄筋屑Ｒを吸着回収するものである。
【００１７】
以下、本発明のコンクリート破砕機１の動作について説明する。
【００１８】
図１の状態で、下顎２及び上顎３によってコンクリート塊Ｃを破砕すると共に鉄筋を切断する。この状態から作業機３１のアーム３２に設けた油圧シリンダ３２ａを退動させ、図３の如く、下顎２の先端を作業機３１とは反対側へ向けて磁石６を下方へ向ける。このとき、磁石６は、上顎３の後端部よりも作業機３１側に位置するから、作業機３１のアーム３２を駆動してコンクリート破砕機１を地面に近付けても、作業機３１の操縦席３３から見て磁石６の下方が死角にならない。
【００１９】
図４は、図３の状態から上顎３を開いた状態である。図３の状態から油圧シリンダ４のピストンロッド４ａを退動させると、上顎３が下顎２との連結箇所を中心に回転する。上顎３の回転に伴って、保護カバー５が揺動し、保護カバー５を介して回転駆動力がリンク７に伝達される。リンク７は、上顎３の下顎２及び保護カバー５との連結箇所を結ぶ線分と平行状態を維持しつつ回転する。これにより、上顎３の開閉動作に伴って保護カバー５が平行移動し、上顎３の開閉状態によって下顎２に対する磁石６の向きが変化しない。したがって、上顎３を閉じた状態のみならず、開いた状態であっても、鉄筋屑Ｒの吸着を行なえる。
【００２０】
以上、本発明の実施形態につき説明したが、本発明は前記実施形態に限定されることなく種々の変更が可能であって、例えば保護カバー５を磁石６のケーシングとしても構わない。
【図面の簡単な説明】
【００２１】
【図１】本発明のコンクリート破砕機を示す側面図である。
【図２】コンクリート破砕機の分解斜視図である。
【図３】鉄筋屑を吸着する状態を示すコンクリート破砕機の側面図である。
【図４】鉄筋屑を吸着する状態を示すコンクリート破砕機の側面図である。
【図５】従来例を示す側面図である。
【図６】図５の要部拡大図である。
【符号の説明】
【００２２】
１     コンクリート破砕機
２     下顎
３     上顎
４     油圧シリンダ
５     保護カバー
６     磁石
７     リンク
【図１】
2005042404.tif 000003
【図２】
2005042404.tif 000004
【図３】
2005042404.tif 000005
【図４】
2005042404.tif 000006
【図５】
2005042404.tif 000007
【図６】
2005042404.tif 000008